(57)【要約】【課題】例えば家庭内においても、容易に且つ精度良く、犬や猫の標準体重を計測することのできる犬猫用標準体重計測メジャーを提供する。【解決手段】犬又は猫の体長を特定する所定の部位として、好ましくは犬や猫の胸骨突起と坐骨突起に標準体重を示す目盛り２０を当てることで、犬又は猫の標準体重を計測できるようにする犬猫用標準体重計測メジャー１０であって、標準体重を示す目盛り２０は、予め算定された、複数の犬又は猫の体長と、これらの犬又は猫の体脂肪率が２０％時の体重である標準体重とを変量として得られた、これらの体長と標準体重との相関関係を示す相関式に基づく目盛りとなっている。標準体重を示す目盛り２０には、基準点２１からの所定の長さ毎に、所定の長さを体長として上述の相関式から得られた、犬又は猫の標準体重の数値２０ａが表示されている。【選択図】図１
2020014445.tif 000002
【特許請求の範囲】
【請求項１】
犬又は猫の体長を特定する所定の部位に標準体重を示す目盛りを当てることで、犬又は猫の標準体重を計測できるようにする犬猫用標準体重計測メジャーであって、
前記標準体重を示す目盛りは、予め算定された、複数の犬又は猫の体長と、これらの犬又は猫の体脂肪率が２０％時の体重である標準体重とを変量として得られた、これらの体長と標準体重との相関関係を示す相関式に基づく目盛りとなっており、
前記標準体重を示す目盛りには、基準点からの所定の長さ毎に、当該所定の長さを前記体長として前記相関式から得られた、犬又は猫の標準体重の数値が表示されている犬猫用標準体重計測メジャー。
【請求項２】
前記犬又は猫の標準体重を示す目盛りに加えて、基準点からの所定の長さ毎に、当該基準点からの長さを示す目盛りが表示されている犬猫用標準体重計測メジャー。
【請求項３】
前記相関式が、二次回帰曲線の方程式である請求項１又は２記載の犬猫用標準体重計測メジャー。
【請求項４】
犬又は猫の体長を特定する長さは、胸骨突起から坐骨突起までの長さ、肩甲骨の頂部から尾の付け根までの長さ、又は肩甲骨の頂部から腸骨の頂部までの長さとして測定される請求項１〜３のいずれか１記載の犬猫用標準体重計測メジャー。
【請求項５】
前記標準体重は、重水希釈法によって測定された体脂肪率から推定された標準体重である請求項１〜４のいずれか１項記載の犬猫用標準体重計測メジャー。
【請求項６】
物差しタイプ、巻尺タイプ、又はキャリバータイプのメジャーとなっている請求項１〜５のいずれか１項記載の犬猫用標準体重計測メジャー。
【発明の詳細な説明】
【技術分野】
【０００１】
本発明は、犬猫用標準体重計測メジャーに関し、特に、犬又は猫の所定の部位に目盛りを当てることで、犬又は猫の標準体重を計測できるようにする犬猫用標準体重計測メジャーに関する。
【背景技術】
【０００２】
昨今、犬や猫は家族の一員として扱われることが多く、犬や猫についても食料事情が豊かになってきていることから、食生活や飼育環境の変化に伴って、犬や猫の肥満が問題となっている。例えば室内飼育では屋外飼育に比べ１年を通しての温度差が少なく、温度適応に必要とされるエネルギー消費が減少する。また室内飼育によって人と犬や猫の距離が近くなることで、犬や猫におやつや人の食べ物を給餌する機会が増加する。これらは結果的に犬や猫を肥満させることになる。犬や猫も肥満すると心肺や関節に負荷がかかるだけでなく、膿皮症、外耳炎、アトピー性皮膚炎、乳腺腫瘍に罹患するリスクが高まることが知られている（非特許文献１）。犬や猫の健康を維持するためには、飼い主や獣医師が個体ごとの標準体重を知って、肥満の予防に努めることが大切である。これまでに犬や猫の栄養状態を管理するための装置や器具として、種々の犬用健康管理装置や、ペット用体脂肪測定具が開発されている（例えば、特許文献１、特許文献２参照）。
【０００３】
一方、特別な装置や器具を用いることなく、目視と触診のみによって犬や猫の栄養状態を診断できるようにする方法として、ＢＣＳによる診断方法が採用されている（例えば、特許文献３参照）。ＢＣＳによる診断方法は、アメリカ動物病院協会や日本動物病院協会が犬や猫の栄養状態を診断するための方法として認定したものであり、具体的には、目視による観察によって、犬や猫の腰部や腹部のくびれ具合等から栄養状態を判定すると共に、胸側部を触診することによって、肋骨の触れ具合から犬や猫の栄養状態を判定する、臨床現場で一般的に用いられている診断方法である。
【０００４】
そして、目視と触診による診断結果を合わせて、５段階法または９段階法によって栄養状態を診断するようになっており、例えば５段階法では、ＢＣＳの値が５である場合に「肥満」、４である場合に「過体重」、３である場合に「標準」、２である場合に「体重不足」、１である場合に「痩せ」として、犬や猫の栄養状態を評価するようになっている。
【０００５】
また、例えば５段階法によって犬や猫の栄養状態を診断する場合、各々のＢＣＳに対応する体重の範囲は、ＢＣＳ１の「痩せ」の場合、標準体重の８０％以下の乖離割合の体重の範囲とすることができ、ＢＣＳ２の「体重不足」の場合、標準体重の８１〜９０％の乖離割合の体重の範囲とすることができ、ＢＣＳ３の「標準」の場合、標準体重の９１〜１１０％の乖離割合の体重の範囲とすることができ、ＢＣＳ４の「過体重」の場合、標準体重の１１１〜１２０％の乖離割合の体重の範囲とすることができ、ＢＣＳ５の「肥満」の場合、標準体重の１２１％以上の乖離割合の体重の範囲とすることができることから、犬や猫の体重からＢＣＳを判定して栄養状態を診断するには、犬や猫の標準体重を、適切に把握しておくことが重要である。また、個々の犬や猫の健康の維持増進や長寿を図るためにも、飼い主等は、これらの犬や猫の理想体重であるとされる標準体重を、適切に把握しておくことが重要である。
【０００６】
標準体重は、個々の犬や猫における理想とされる体重であり、肥満治療の際の目標体重であると同時に、健康維持や長寿のための目標体重でもある。標準体重は、犬や猫の１歳時の体重とする考え方や、個々の犬や猫の体脂肪率が２０％であるときの体重とする考え方が知られている。
【先行技術文献】
【特許文献】
【０００７】
【特許文献１】特開２００５−７４号公報
【特許文献２】特開２００８−１４９０６１号公報
【特許文献３】特開２００９−７２１５７号公報
【特許文献４】特開２０１２−９５９００号公報
【非特許文献】
【０００８】
【非特許文献１】梅田智重他、日本内科アカデミー・日本獣医臨床病理学会、２０１０年大会抄録集  ｐｐ２７５
【発明の概要】
【発明が解決しようとする課題】
【０００９】
しかしながら、近年、犬や猫が１歳になる前に去勢手術や避妊手術をすることが推奨されており、その影響で、１歳時には既に肥満している場合もあるため、１歳時の体重を標準体重とする考え方は崩れつつある。また、犬や猫の体脂肪率を測定することは容易ではなく、犬や猫の体脂肪率を測定するための体脂肪測定具も開発されているが（例えば、特許文献４参照）、臨床現場においてはあまり使われていないのが現状であり、また獣医師、動物看護師、トリマー等の専門家ではない飼い主が、容易に且つ精度良く、犬や猫の体脂肪率から標準体重を計測することは困難である。
【００１０】
本発明は、例えば獣医師、動物看護師、トリマー及び飼い主でも、容易に且つ精度良く、犬や猫の標準体重を計測することのできる犬猫用標準体重計測メジャーを提供することを目的とする。
【課題を解決するための手段】
【００１１】
本発明は、犬又は猫の体長を特定する所定の部位に標準体重を示す目盛りを当てることで、犬又は猫の標準体重を計測できるようにする犬猫用標準体重計測メジャーであって、前記標準体重を示す目盛りは、予め算定された、複数の犬又は猫の体長と、これらの犬又は猫の体脂肪率が２０％時の体重である標準体重とを変量として得られた、これらの体長と標準体重との相関関係を示す相関式に基づく目盛りとなっており、前記標準体重を示す目盛りには、基準点からの所定の長さ毎に、当該所定の長さを前記体長として前記相関式から得られた、犬又は猫の標準体重の数値が表示されている犬猫用標準体重計測メジャーを提供することにより、上記目的を達成したものである。
【００１２】
そして、本発明の犬猫用標準体重計測メジャーは、前記犬又は猫の標準体重を示す目盛りに加えて、基準点からの所定の長さ毎に、当該基準点からの長さを示す目盛りが表示されていることが好ましい。
【００１３】
さらに、本発明の犬猫用標準体重計測メジャーは、前記相関式が、二次回帰曲線の方程式であることが好ましい。
【００１４】
さらにまた、本発明の犬猫用標準体重計測メジャーは、犬又は猫の体長を特定する長さが、胸骨突起から坐骨突起までの長さ、肩甲骨の頂部から尾の付け根までの長さ、又は肩甲骨の頂部から腸骨の頂部までの長さであるが、特に胸骨突起から坐骨突起までの長さであることが好ましい。
【００１５】
また、本発明の犬猫用標準体重計測メジャーは、前記標準体重が、重水希釈法によって測定された体脂肪率から推定された標準体重であることが好ましい。
【００１６】
さらに、本発明の犬猫用標準体重計測メジャーは、物差しタイプ、巻尺タイプ、又はキャリパータイプのメジャーとなっていることが好ましい。
【発明の効果】
【００１７】
本発明の犬猫用標準体重計測メジャーによれば、例えば獣医師、動物看護師、トリマー及び飼い主でも、容易に且つ精度良く、犬や猫の標準体重を計測することができる。
【図面の簡単な説明】
【００１８】
【図１】図１（ａ）は、本発明の好ましい一実施形態に係る犬猫用標準体重計測メジャーであるキャリーパータイプのメジャーの略示平面図、図１（ｂ）は、図１（ａ）のメジャーの目盛り部分の要部略示平面図である。
【図２】キャリーパータイプのメジャーを用いて犬の標準体重を計測する状況の説明図である。
【図３】犬又は猫の体長を胸骨突起から坐骨突起までの長さとした場合の、体長と標準体重との相関関係を、二次回帰曲線によって例示する図である。
【図４】図４（ａ）、図４（ｂ）は、一対の測定枝を折り畳み可能としたキャリーパータイプのメジャーの説明図である。
【図５】図５（ａ）、図５（ｂ）は、本発明の好ましい他の実施形態に係る犬猫用標準体重計測メジャーを例示する平面図及び斜視図である。
【発明を実施するための形態】
【００１９】
図１（ａ）、（ｂ）に示す本発明の好ましい一実施形態に係る犬猫用標準体重計測メジャー１０は、例えば家庭内や臨床現場において用いられて、犬や猫の所定の部位に目盛り２０を当てるだけの簡易な操作によって、犬又は猫の理想体重とされる、犬又は猫の体脂肪率が２０％時の体重である標準体重を、容易に且つスムーズに計測できるようにするための、犬猫用の計測器具として採用されたものである。
【００２０】
本件出願の発明者は、犬又は猫の体長と標準体重との関係について、種々の検討を行った結果、例えば犬や猫の胸骨突起から坐骨突起までの長さＬ１（図２参照）を、犬や猫の体長とした場合に、犬や猫の体長と、犬や猫の体脂肪率が２０％時の体重である標準体重との間には、強い相関性があることを見出した。犬や猫の体脂肪率が２０％時の体重である標準体重は、例えば公知の重水希釈法によって測定された体脂肪率から、容易に計算して推定することができる。本発明の犬猫用標準体重計測メジャーは、このような知見に基づいてなされたものであり、計測対象となる個々の犬又は猫の体長を計測することが可能な犬や猫の所定の部位に、目盛りを当てるだけの簡易な操作によって、獣医師や動物看護師、トリマー等の専門家のみならず、ペットの飼い主等も、例えば家庭内において、対象となる個々の犬又は猫の標準体重を、容易に計測できるようにするものである。
【００２１】
そして、本実施形態の犬猫用標準体重計測メジャー１０は、犬又は猫の体長を特定する所定の部位として、好ましくは犬や猫の胸骨突起と坐骨突起に、標準体重を示す目盛り２０を当てることで、犬又は猫の標準体重を計測できるようにする、好ましくはキャリーパータイプのメジャーであって、標準体重を示す目盛り２０は、予め算定された、複数の犬又は猫の体長と、これらの犬又は猫の体脂肪率が２０％時の体重である標準体重とを変量として得られた、これらの体長と標準体重との相関関係を示す相関式（図３参照）に基づく目盛りとなっている。標準体重を示す目盛り２０には、基準点２１からの所定の長さ毎に、所定の長さを体長として上述の相関式から得られた、犬又は猫の標準体重の数値２０ａが表示されている。
【００２２】
また、本実施形態の犬猫用標準体重計測メジャー１０では、犬又は猫の標準体重を示す目盛り２０に加えて、基準点２１からの所定の長さ毎に、当該基準点２１からの長さを示す目盛り３０が表示されている。この基準点２１からの長さを示す目盛り３０には、好ましくは基準点２１からの長さに対応する数値３０ａが、適宜の位置に表示されている。
【００２３】
本実施形態では、犬猫用標準体重計測メジャー１０は、好ましくはキャリーパータイプのメジャー（計測具）となっており、図１（ａ）、（ｂ）に示すように、例えば木材、金属、プラスチック等からなる細長い帯板形状の物差し本体部１１と、物差し本体部１１に取り付けられた、同様に例えば木材、金属、プラスチック等からなる一対の測定枝１２ａ，１２ｂとを含んで形成されている。物差し本体部１１は、例えば体長が８００ｍｍ程度までの犬や猫の体長を計測することが可能なように、８００〜１０００ｍｍ程度の長さを備えている。また物差し本体部１１の好ましくは表側の面には、後述するように、標準体重を示す目盛り２０と、基準点２１からの長さを示す目盛り３０とが、表示されている。
【００２４】
一対の測定枝１２ａ，１２ｂは、公知のキャリーパータイプのメジャーと同様に、基端装着部１３と計測当て部１４とからなり、好ましくは計測当て部１４の内側面１４ａを物差し本体部１１と垂直な横方向に延設させて、計測当て部１２ｂを、物差し本体部１１から横方向に、例えば２００ｍｍ程度の長さで張り出させた状態で取り付けられている。測定枝１２ａ，１２ｂの基端装着部１３には、物差し本体部１１の断面形状と同様の大きさ及び形状の中空断面形状を備えるスライドガイド孔（図示せず）が形成されており、このスライドガイド孔に物差し本体部１１を挿入させた状態で、一対の測定枝１２ａ，１２ｂは、各々、物差し本体部１１に沿ってスライド移動できるようになっている。また、公知のキャリーパータイプのメジャーと同様に、基端装着部１３には、計測当て部１４を物差し本体部１１に沿った所定の位置に固定しておくための、固定ネジ等による仮固定手段（図示せず）が設けられている。
【００２５】
本実施形態のキャリーパータイプの犬猫用標準体重計測メジャー１０では、一方の測定枝１２ａを、計測当て部１４の内側面１４ａが物差し本体部１１の目盛り２０，３０の基準点２１の位置に重なるように、位置決め固定してから、図２に示すように、固定した一方の測定枝１２ａの計測当て部１４の内側面１４ａを、犬又は猫の体長を特定する所定の部位として、例えば犬や猫の胸骨突起に当てると共に、他方の測定枝１２ｂを物差し本体部１１に沿ってスライド移動させて、これの計測当て部１４の内側面１４ａを例えば犬や猫の坐骨突起に当てた状態で、他方の測定枝１２ｂの計測当て部１４の内側面１４ａと重なる位置の目盛り２０，３０を読み取ることによって、好ましくは犬や猫の体長として、胸骨突起から坐骨突起までの長さＬ１を読み取ることが可能になり、また標準体重を示す目盛り２０から、測定対象の犬又は猫の標準体重を、同時に容易に読み取ることが可能になる。
【００２６】
そして、本実施形態では、標準体重を示す目盛り２０は、予め算定された、複数の犬又は猫の体長と、これらの犬又は猫の体脂肪率が２０％時の体重である標準体重とを変量として得られた、これらの体長と標準体重との相関関係を示す相関式に基づく目盛りとなっている。標準体重を示す目盛り２０には、図１（ａ）に示すように、基準点２１からの所定の長さ毎に、当該所定の長さを体長として上述の相関式から得られた、犬又は猫の標準体重の数値２０ａが表示されている。
【００２７】
すなわち、本実施形態では、犬猫用標準体重計測メジャー１０の物差し本体部１１に標準体重を示す目盛り２０を表示するのに先立って、複数の犬又は猫の体長と、これらの犬又は猫の体脂肪率が２０％時の体重である標準体重とを変量とする相関式として、図３に示すように、好ましくは二次回帰曲線の方程式を、予め算定しておく。二次回帰曲線の方程式を予め算定しておくことにより、例えばランダムに選定した犬の中に、体長（胸骨突起から坐骨突起までの長さ）が６０ｃｍ以上の大型犬が含まれている場合など、選定した犬又は猫の体長のバラツキが大きい場合でも、精度の良い相関式を得ることが可能になる。
【００２８】
図３に示す二次回帰曲線の方程式による相関式では、例えばランダムに選定した４２頭の各々の犬について、犬の体長として、胸骨突起から坐骨突起までの長さＬ１を測定すると共に、好ましくは重水希釈法によって体脂肪率を測定し、測定した体脂肪率から、体脂肪率が２０％時の体重である標準体重を計算して推定する。選定した４２頭の犬には、体長が６０ｃｍ以上の犬が含まれている。また、得られた各々の犬の体長及び標準体重を、縦軸を体重、横軸を体長とするチャートにプロットすると共に、体長と標準体重との相関性の強弱を示す相関係数と、相関式（二次回帰曲線の方程式）とを求める。体長と標準体重との相関性の強弱を示す相関係数と、相関式とは、例えば、SPSS statistics 24.0（ＩＢＭ社製）を使用したピアソン相関係数テスト（Pearson’s correlation coefficient test）によって求めることができる。図３に示す例では、相関係数は、ｒ＝０．９４５となって、体長と標準体重との間に強い相関性が認められると共に、相関式として、ｙ＝０．００９ｘ２−０．３５９ｘ＋５．１６２といった二次回帰曲線の方程式が得られた。有意確率は、Ｐ＜０．０１であった。
【００２９】
また、二次回帰曲線の方程式による相関式は、犬又は猫の体長を、肩甲骨の頂部から尾の付け根までの長さＬ２（図２参照）としたり、肩甲骨の頂部から腸骨の頂部までの長さＬ３（図２参照）として、予め算定しておくこともできる。本実施形態では、犬の体長をＬ２とした場合には、標準体重との相関係数は、ｒ＝０．９３２となり、犬の体長をＬ３とした場合には、標準体重との相関係数は、ｒ＝０．９１０となって、いずれの場合においても、体長と標準体重との間に強い相関性が認められた。有意確率は、いずれの場合においても、Ｐ＜０．０１であった。二次回帰曲線の方程式による相関式を算定する際の、体長の測定部位としては、胸骨突起から坐骨突起までの長さＬ１とすることが好ましい。
【００３０】
そして、本実施形態では、標準体重を示す目盛り２０には、図１（ｂ）に示すように、基準点２１からの所定の長さ毎に、所定の長さを体長として上述の相関式から得られた、犬又は猫の標準体重の数値２０ａが表示されている。すなわち、犬猫用標準体重計測メジャー１０の物差し本体部１１の表面には、好ましくは基準点２１からの所定の長さ毎として、例えば１ｃｍ毎に、当該基準点２１からの長さを示す目盛り３０が、好ましくは基準点２１からの長さに対応する数値３０ａと共に表示されている。また、標準体重を示す目盛り２０には、長さを示す目盛り３０に示される基準点２１からの所定の長さ毎として、例えば１ｃｍ毎に、基準点２１からの長さを犬又は猫の体長として上述の相関式に当てはめることによって得られた、犬又は猫の標準体重を示す数値が、例えば「１．６（ｋｇ）」、「９．７（ｋｇ）」、「１０．３（ｋｇ）」、「１０．８（ｋｇ）」「１１．４（ｋｇ）」等として表示されている。
【００３１】
これらによって、本実施形態の犬猫用標準体重計測メジャーによれば、例えば犬又は猫の体長を、胸骨突起から坐骨突起までの長さＬ１として、一対の測定枝１２ａ，１２ｂのうちの固定した一方の測定枝１２ａの計測当て部１４の内側面１４ａを、犬や猫の胸骨突起に当てると共に、他方の測定枝１２ｂの計測当て部１４の内側面１４ａを、犬や猫の坐骨突起に当てた状態で、他方の測定枝１２の計測当て部１４の内側面１４ａと重なる位置の目盛り２０を読み取るだけの、簡単な操作によって、例えば獣医師、動物看護師、トリマー等の専門家のみならず、ペットの飼い主でも、容易に且つ精度良く、犬や猫の標準体重を計測することが可能になる。
【００３２】
なお、本発明は上記実施形態に限定されることなく種々の変更が可能である。例えば、犬猫用標準体重計測メジャーに、犬又は猫の標準体重を示す目盛りに加えて、基準点からの長さを示す目盛りが表示されている必要は必ずしも無く、犬又は猫の標準体重を示す目盛りのみが表示されていても良い。この場合、標準体重を示す目盛には、例えば他のメジャー等を用いて、基準点からの長さを確認しながら、所定の長さを毎に、当該所定の長さを体長として相関式から得られた、犬又は猫の標準体重の数値を犬猫用標準体重計測メジャーに表示することができる。また、標準体重を示す目盛りに表示される数値を、切りの良い数値とし、当該標準体重の数値を相関式に当てはめて、基準点からの所定の長さを逆算することにより、当該逆算した所定の長さ毎に、標準体重の数値を切りの良い数値で表示するようにすることもできる。さらに、犬猫用標準体重計測メジャーの一方の面に、犬又は猫の標準体重を示す目盛りのみを表示し、他方の面に基準点からの長さを示す目盛りのみを表示することもできる。
【００３３】
また、キャリーパータイプの犬猫用標準体重計測メジャーの場合には、図４（ａ）、（ｂ）に示すように、一対の測定枝を折り畳み可能として、持ち運ぶ際や保管する際の邪魔にならないようにすることができる。犬猫用標準体重計測メジャーは、キャリーパータイプのメジャーである必要は必ずしも無く、図５（ａ）、（ｂ）に示すように、犬又は猫の標準体重の数値と共に標準体重を示す目盛りが表示された、物差しタイプや巻尺タイプのメジャー等の、好ましくは犬又は猫の体長を特定する所定の部位に直接押し当てて、犬や猫の標準体重を計測できるようにしたメジャー（計測具）であっても良い。
【符号の説明】
【００３４】
１０  犬猫用標準体重計測メジャー
１１  物差し本体部
１２ａ，１２ｂ  測定枝
１３  基端装着部
１４  計測当て部
１４ａ  内側面
２０  標準体重を示す目盛り
２０ａ  標準体重の数値
２１  基準点
３０  基準点からの長さを示す目盛り
３０ａ  基準点からの長さに対応する数値
Ｌ１  胸骨突起から坐骨突起までの長さ（体長：Ｌ１）
Ｌ２  肩甲骨の頂部から尾の付け根までの長さ（体長：Ｌ２）
Ｌ３  肩甲骨の頂部から腸骨の頂部までの長さ（体長：Ｌ３）
【図１】
2020014445.tif 000003
【図２】
2020014445.tif 000004
【図３】
2020014445.tif 000005
【図４】
2020014445.tif 000006
【図５】
2020014445.tif 000007